(57)【要約】【課題】  構造が簡単で、耐久性が良く、しかもフォーカスレンズを移動させる部材の耐久性の低下や回転操作性の低下を最小限に抑えることが可能な回転トルク制御装置付きレンズ鏡筒を提供する。【解決手段】  固定環と、該固定環に回転自在に支持された距離調節環と、該距離調節環の回転動作に連動して光軸方向に進退されるフォーカスレンズと、上記距離調節環に対して回転抵抗を与える回転トルク制御装置と、を備えるレンズ鏡筒において、上記回転トルク制御装置が、上記距離調節環と固定環のいずか一方に設けられた接触面と、他方に回転自在に支持されていてこの接触面に接触して、該接触面が設けられた上記距離調節環と固定環の一方と連れ回りする回転可能な回転接触部材とを備えていることを特徴とする回転トルク制御装置付きレンズ鏡筒。【選択図】  図１
2005084259.tif 000002
【特許請求の範囲】
【請求項１】
固定環と、
該固定環に回転自在に支持された距離調節環と、
該距離調節環の回転動作に連動して光軸方向に進退されるフォーカスレンズと、
上記距離調節環に対して回転抵抗を与える回転トルク制御装置と、
を備えるレンズ鏡筒において、
上記回転トルク制御装置が、上記距離調節環と固定環のいずれか一方に設けられた接触面と、他方に回転自在に支持されていて、この接触面に接触して、該接触面が設けられた上記距離調節環と固定環の一方と連れ回りする回転可能な回転接触部材とを備えていることを特徴とする回転トルク制御装置付きレンズ鏡筒。
【請求項２】
固定環と、
該固定環に回転自在に支持された距離調節環と、
上記固定環に、回転操作及び光軸方向のＡＦ位置とＭＦ位置の間の直進移動を可能に支持され、ＡＦ位置では上記距離調節環をカメラ本体内に設けたＡＦ用駆動系に連係させ、該ＭＦ位置では該ＡＦ用駆動系と上記距離調節環の連係を遮断し、上記距離調節環と回転方向に一体となる切替環と、
該距離調節環の回転動作に連動して光軸方向に進退されるフォーカスレンズと、
上記切替環に対して回転抵抗を与える回転トルク制御装置と、
を備えるレンズ鏡筒において、
上記回転トルク制御装置が、上記切替環と固定環のいずれか一方に設けられた接触面と、他方に回転自在に支持されていて、この接触面に接触して、該接触面が設けられた上記切替環と固定環の一方と連れ回りする回転可能な回転接触部材とを備えていることを特徴とする回転トルク制御装置付きレンズ鏡筒。
【請求項３】
請求項２記載の回転トルク制御装置付きレンズ鏡筒において、
上記回転接触部材が、上記切替環がＭＦ位置にあるときに、上記接触面に接触して、該接触面が設けられた上記切替環と固定環の一方と連れ回りする回転トルク制御装置付きレンズ鏡筒。
【請求項４】
請求項１から３のいずれか１項記載の回転トルク制御装置付きレンズ鏡筒において、上記回転接触部材が上記固定環の径方向を向く回転軸回りに回転可能である回転トルク制御装置付きレンズ鏡筒。
【請求項５】
請求項１から３のいずれか１項記載の回転トルク制御装置付きレンズ鏡筒において、上記回転接触部材が上記光軸と平行な回転軸回りに回転可能である回転トルク制御装置付きレンズ鏡筒。
【請求項６】
請求項１から５のいずれか１項記載の回転トルク制御装置付きレンズ鏡筒において、
上記回転接触部材が高密度セルウレタンフォームによって成形されている回転トルク制御装置付きレンズ鏡筒。
【請求項７】
請求項１から５のいずれか１項記載の回転トルク制御装置付きレンズ鏡筒において、
上記接触面が高密度セルウレタンフォームによって成形されている回転トルク制御装置付きレンズ鏡筒。
【請求項８】
固定環と、
該固定環に回転接触可能として、該固定環に回転自在に支持された距離調節環と、
該距離調節環の回転動作に連動して光軸方向に進退されるフォーカスレンズと、
上記距離調節環に対して回転抵抗を与える回転トルク制御装置と、
を備えるレンズ鏡筒において、
上記回転トルク制御装置が、上記距離調節環と固定環のいずれか一方に形成された、他方に対して回転接触する、高密度ポリウレタンフォーム製の回転接触面であることを特徴とする回転トルク制御装置付きレンズ鏡筒。
【請求項９】
固定環と、
該固定環に回転自在に支持された距離調節環と、
上記固定環に、該固定環に接触しながらの回転操作及び光軸方向のＡＦ位置とＭＦ位置の間の直進移動を可能に支持され、ＡＦ位置では上記距離調節環をカメラ本体内に設けたＡＦ用駆動系に連係させ、該ＭＦ位置では該ＡＦ用駆動系と上記距離調節環の連係を遮断し、上記距離調節環と回転方向に一体となる切替環と、
該距離調節環の回転動作に連動して光軸方向に進退されるフォーカスレンズと、
上記切替環に対して回転抵抗を与える回転トルク制御装置と、
を備えるレンズ鏡筒において、
上記回転トルク制御装置が、上記切替環と固定環のいずれか一方に形成された、他方に対して回転接触する、高密度ポリウレタンフォーム製の回転接触面であることを特徴とする回転トルク制御装置付きレンズ鏡筒。
【請求項１０】
請求項６から９のいずれか１項記載の回転トルク制御装置付きレンズ鏡筒において、
上記高密度セルウレタンフォームの圧縮残留歪が１０％以下である回転トルク制御装置付きレンズ鏡筒。
【請求項１１】
請求項１から１０のいずれか１項記載の回転トルク制御装置付きレンズ鏡筒において、
上記接触面を複数とし、かつ、上記回転接触部材を該接触面に対応する数だけ設けた回転トルク制御装置付きレンズ鏡筒。
【発明の詳細な説明】
【技術分野】
【０００１】
本発明は、レンズ鏡筒に関し、特に、フォーカス環に生じる回転トルクを調整可能とした回転トルク制御装置付きレンズ鏡筒に関する。
【背景技術】
【０００２】
レンズ鏡筒は、ＡＦ操作、ＭＦ操作の別を問わず、フォーカス環を光軸回りに回転させることによりフォーカシングを行う。ところが、合焦後に、シャッターショックなどの振動やレンズ鏡筒に掛かる重力等により、フォーカス環が回転してしまい、ピントに変化が生じてしまうことがある。このため、特にＭＦ操作時には、フォーカス環を撮影者の所望の周方向位置に確実に停止させるため、フォーカス環にある程度の回転抵抗を与えるようにするのが好ましい。
【０００３】
このため従来より、レンズ鏡筒に、フォーカス環に所定の回転抵抗を与える回転トルク制御装置を設けることが行われている（例えば特許文献１、特許文献２、及び特許文献３）。各特許文献の回転トルク制御装置は、硬質材料からなる接触部材を付勢手段によりフォーカス環に圧接して、フォーカス環に回転抵抗を与えるものである。
【特許文献１】実用新案登録第２５８７９５２号公報
【特許文献２】特開平８−３０４６８７号公報
【特許文献３】特開平１１−１４９０３２号公報
【発明の開示】
【発明が解決しようとする課題】
【０００４】
しかし、これらの回転トルク制御装置は、構造が複雑なため、レンズ鏡筒の製造コストが高くなってしまう。
さらに、これらの接触部材は硬質材料からなり、しかも、光軸方向に移動不能で常にフォーカス環の光軸方向の特定の位置とすべり接触する。このため、接触部材やフォーカス環の耐久性は悪く、しかも、フォーカス環の回転操作性を大幅に低下させるおそれもあった。
【０００５】
本発明の目的は、構造が簡単で、耐久性が良く、しかもフォーカスレンズを移動させる部材の耐久性の低下や回転操作性の低下を最小限に抑えることが可能な回転トルク制御装置付きレンズ鏡筒を提供することにある。
【課題を解決するための手段】
【０００６】
本発明の回転トルク制御装置付きレンズ鏡筒は、固定環と、該固定環に回転自在に支持された距離調節環と、該距離調節環の回転動作に連動して光軸方向に進退されるフォーカスレンズと、上記距離調節環に対して回転抵抗を与える回転トルク制御装置と、を備えるレンズ鏡筒において、上記回転トルク制御装置が、上記距離調節環と固定環のいずれか一方に設けられた接触面と、他方に回転自在に支持されていてこの接触面に接触して、該接触面が設けられた上記距離調節環と固定環の一方と連れ回りする回転可能な回転接触部材とを備えていることを特徴としている。
【０００７】
別の態様によれば、本発明の回転トルク制御装置付きレンズ鏡筒は、固定環と、該固定環に回転自在に支持された距離調節環と、上記固定環に、回転操作及び光軸方向のＡＦ位置とＭＦ位置の間の直進移動を可能に支持され、ＡＦ位置では上記距離調節環をカメラ本体内に設けたＡＦ用駆動系に連係させ、該ＭＦ位置では該ＡＦ用駆動系と上記距離調節環の連係を遮断し、上記距離調節環と回転方向に一体となる切替環と、該距離調節環の回転動作に連動して光軸方向に進退されるフォーカスレンズと、上記距離調節環に対して回転抵抗を与える回転トルク制御装置と、を備えるレンズ鏡筒において、上記回転トルク制御装置が、上記切替環と固定環のいずれか一方に設けられた接触面と、他方に回転自在に支持されていて、この接触面に接触して、該接触面が設けられた上記切替環と固定環の一方と連れ回りする回転可能な回転接触部材とを備えていることを特徴としている。
【０００８】
この態様では、上記回転接触部材が、上記切替環がＭＦ位置にあるときに、上記接触面に接触して、該接触面が設けられた上記切替環と固定環の一方と連れ回りするのが好ましい。
【０００９】
いずれの態様でも、上記回転接触部材を上記固定環の径方向を向く回転軸回りに回転可能なものとすることが可能である。
【００１０】
また、いずれの態様でも、上記回転接触部材を上記光軸と平行な回転軸回りに回転可能なものとしてもよい。
【００１１】
さらに、上記回転接触部材を高密度セルウレタンフォームによって成形するのが好ましい。
【００１２】
また、上記回転接触部材の代わりに、上記接触面を高密度セルウレタンフォームによって成形してもよい。
【００１３】
別の態様によれば、本発明の回転トルク制御装置付きレンズ鏡筒は、固定環と、該固定環に回転接触可能として、該固定環に回転自在に支持された距離調節環と、該距離調節環の回転動作に連動して光軸方向に進退されるフォーカスレンズと、上記距離調節環に対して回転抵抗を与える回転トルク制御装置と、を備えるレンズ鏡筒において、上記回転トルク制御装置が、上記距離調節環と固定環のいずれか一方に形成された、他方に対して回転接触する、高密度ポリウレタンフォーム製の回転接触面であることを特徴としている。
【００１４】
さらに別の態様によれば、本発明の回転トルク制御装置付きレンズ鏡筒は、固定環と、該固定環に回転自在に支持された距離調節環と、上記固定環に、該固定環に接触しながらの回転操作及び光軸方向のＡＦ位置とＭＦ位置の間の直進移動を可能に支持され、ＡＦ位置では上記距離調節環をカメラ本体内に設けたＡＦ用駆動系に連係させ、該ＭＦ位置では該ＡＦ用駆動系と上記距離調節環の連係を遮断し、上記距離調節環と回転方向に一体となる切替環と、該距離調節環の回転動作に連動して光軸方向に進退されるフォーカスレンズと、上記切替環に対して回転抵抗を与える回転トルク制御装置と、を備えるレンズ鏡筒において、上記回転トルク制御装置が、上記切替環と固定環のいずれか一方に形成された、他方に対して回転接触する、高密度ポリウレタンフォーム製の回転接触面であることを特徴としている。
【００１５】
上記高密度セルウレタンフォームの圧縮残留歪は、１０％以下であるのが好ましい。
【００１６】
さらに、上記接触面を複数とし、かつ、上記回転接触部材を該接触面に対応する数だけ設けるのが好ましい。
【発明の効果】
【００１７】
本発明によると、構造が簡単で、耐久性が良く、しかもフォーカスレンズを移動させる部材の耐久性の低下や回転操作性の低下を最小限に抑えることが可能な回転トルク制御装置付きレンズ鏡筒を提供できるようになる。
【発明を実施するための最良の形態】
【００１８】
以下、本発明の第１の実施形態について、図１及び図２を参照しながら説明する。
まず、レンズ鏡筒１の具体的な構成について説明する。
固定環３は、その後端部にカメラボディに接続固定されるバヨネット部３ａを具備し、その前方に順に、光軸Ｏと互いに同心をなす大径筒状部材５と小径筒状部材７とを具備している。小径筒状部材７の内周面にはレンズ群Ｌ１が嵌合固定されており、この小径筒状部材７の外周面の前端部には雄ネジ７ａが形成されている。この雄ネジ７ａには、大径筒状部材５と小径筒状部材７の間に位置するフォーカス環９の内周面に形成された雌ネジ９ａが螺合している。フォーカス環９はフォーカスレンズ群（フォーカスレンズ）Ｌ２を保持しており、ネジ７ａ、９ａの螺合関係によって回転すると光軸Ｏ方向に移動する。
【００１９】
大径筒状部材５と小径筒状部材７の間には距離調節環１１が配設されており、この距離調節環１１の外周面の後端部には、その全周にわたって環状凹部１１ａが凹設されている。この環状凹部１１ａには、大径筒状部材５の内周面に全周にわたって設けられた径方向内向きの環状突起５ａが嵌合しており、この嵌合関係により、距離調節環１１は、固定環３に対して光軸Ｏ方向の相対移動を規制した状態で光軸Ｏ回りに相対回転可能となっている。距離調節環１１の後端部にはストッパピン１１ｄが突設され、大径筒状部材５の内周面には、このストッパピン１１ｄが当接可能な当接部材５ｂが設けられており、ストッパピン１１ｄが当接部材５ｂに当接することにより、距離調節環１１の回動範囲が規制される。距離調節環１１の内周面には、光軸Ｏ方向と平行な直線溝１１ｂが設けられており、直線溝１１ｂには、フォーカス環９の外周面の後端部に突設された径方向外向きの動力伝達ピン９ｂが係合している。
【００２０】
小径筒状部材７の外周面には、その全周にわたって環状フランジ７ｂが突設されており、この環状フランジ７ｂと固定環３の後端壁３ｂとには、光軸Ｏと平行な回転軸１３の前後両端部が回転自在に支持されている。この回転軸１３は、カメラ本体（不図示）に内蔵されたモータ（ＡＦ用駆動系）の出力軸と図示を省略したクラッチを介して連係されており、クラッチが接続状態にあるときは該出力軸から回転力を受ける部材である。
回転軸１３の前端部にはピニオンギヤ１５が固着されており、このピニオンギヤ１５は距離調節環１１の内周面の後端部に形成されたギヤ部１１ｃと螺合している。
【００２１】
環状フランジ７ｂの外周面には径方向を向く回転軸１７が、周方向に等角度間隔で３個突設されており（図２参照）、この回転軸１７には環状の回転部材１９が回転可能に取り付けられている。この回転部材１９の外周面には、その全周に渡って環状凹部１９ａが設けられており、この環状凹部１９ａにはリング状のローラ（回転接触部材）２１が嵌合固定されている。このローラ２１は、圧縮残留歪みが少ない材料である高密度セルウレタンフォームによって成形されており、このローラ２１は、距離調節環１１に形成された正面視環状をなす環状当接面（接触面）１１ｅに常時接触しており、接触することにより若干圧縮されている。回転軸１７の先端に設けられた環状フランジ１７ａは、回転部材１９が回転軸１７から脱落するのを防止する。そして、上記の回転軸１７、環状フランジ１７ａ、回転部材１９、ローラ２１、及び環状当接面１１ｅによって回転トルク制御装置が構成されている。
【００２２】
本実施形態及び以後の実施形態（変形例を含む）で用いている高密度セルウレタンフォームの物性値は以下の通りである。
（１）厚み交差          ±１０％
（２）密度              ４８０ｋｇ／ｃｍ3
（３）引張強度          ２．３５ＭＰａ
（４）引裂強度          ６．２Ｎ／ｍｍ
（５）伸び              １４０％
（６）２５％圧縮強度    ０．２５ＭＰａ
（７）圧縮残留歪        ５．９％
なお、高密度セルウレタンフォームの圧縮残留歪の適正範囲は１０％以下であるので、データ（７）に示したように５．９％でなくてもよい。
【００２３】
次に、以上のような構成からなるレンズ鏡筒１の動作について説明する。
上記クラッチが切断状態にあり、カメラ本体のモータの動力が回転軸１３に伝達されない状態では、距離調節環１１を手動で回転させるＭＦ操作によってフォーカスレンズ群Ｌ２を光軸Ｏ方向に進退させることが可能である。即ち、手動により距離調節環１１を回転させると、その回転力が動力伝達ピン９ｂを介してフォーカス環９に伝わり、フォーカス環９が回転しながら光軸Ｏ方向に移動し、マニュアルフォーカス（ＭＦ）が行われる。
【００２４】
そして距離調節環１１が回転すると、距離調節環１１の環状当接面１１ｅに当接しているローラ２１が、若干圧縮されながら連れ回る。この結果、ローラ２１から距離調節環１１に適度な回転抵抗が掛かり、距離調節環１１の回転トルクが制御されるので、操作者は距離調節環１１を所望の位置で容易に停止させられる。
また、ローラ２１が圧縮残留歪の少ない弾性材料である高密度セルウレタンフォームによって成形されているので、ローラ２１によって距離調節環１１の操作性が損なわれることはない。さらに、環状当接面１１ｅも摩耗しにくく、ローラ２１と距離調節環１１の耐久性は良好である。
さらに、合焦後（フォーカシング終了後）も、距離調節環１１には回転抵抗が掛かるので、シャッターショックなどの振動やレンズ鏡筒１に掛かる重力等により、合焦後にフォーカス環９が回転してピント変化が生じることはない。
【００２５】
一方、クラッチを接続状態にすると、カメラ本体内のモータの回転力が回転軸１３に伝達されるＡＦ状態となる。このＡＦ状態においてモータを回転させると、この回転力は回転軸１３、ピニオンギヤ１５、距離調節環１１、動力伝達ピン９ｂを介してフォーカス環９に伝わり、フォーカス環９が光軸Ｏ回りに回転しながら光軸Ｏ方向に進退してフォーカシングが行われる。そして合焦後も距離調節環１１にはローラ２１から回転抵抗が付与されるので、シャッターショックなどの振動やレンズ鏡筒１に掛かる重力等によって、合焦後にフォーカス環９が回転してピント変化が生じることはない。
【００２６】
図３は本実施形態の変形例を示している。
この変形例は回転トルク制御装置の構造を変えたものである。即ち、回転軸１７に回転可能に取り付けられた回転部材（回転接触部材）１９’には環状凹部１９ａは形成されておらず、ローラ２１は取り付けられていない。一方、距離調節環１１の回転部材１９’との対向面には正面視環状の取付用凹部２３が凹設されており、この取付用凹部２３に、正面視環状の高密度セルウレタンフォーム製の抵抗付与部材２５が嵌合固定されている。回転部材１９’の外周面は常に抵抗付与部材２５の前面（接触面）に接触しており、抵抗付与部材２５の回転部材１９’との接触部は若干圧縮している。そして、これら回転軸１７、環状フランジ１７ａ、回転部材１９’、及び抵抗付与部材２５によって回転トルク制御装置が構成されている。
【００２７】
このような構成からなるレンズ鏡筒１’の距離調節環１１を回転させてＭＦ操作を行うと、抵抗付与部材２５に当接している回転部材１９’が連れ回り、回転部材１９’から距離調節環１１に適度な回転抵抗が掛かり、距離調節環１１の回転トルクが制御される。このため、操作者は距離調節環１１を所望の位置で容易に停止させられる。
また、抵抗付与部材２５が圧縮残留歪の少ない弾性材料である高密度セルウレタンフォームによって成形されているので、抵抗付与部材２５によって距離調節環１１の操作性が損なわれることはない。さらに、回転部材１９’も摩耗しにくく、回転部材１９’と抵抗付与部材２５の耐久性は良好である。
さらに、合焦後（フォーカシング終了後）も、距離調節環１１には回転抵抗が掛かっているので、シャッターショックなどの振動やレンズ鏡筒１’に掛かる重力等により、合焦後にフォーカス環９が回転してピント変化が生じることはない。
【００２８】
一方、モータを回転させてＡＦ操作を行った場合には、合焦した後も、距離調節環１１（抵抗付与部材２３）には回転部材１９’から回転抵抗が付与されるので、シャッターショックなどの振動やレンズ鏡筒１’に掛かる重力等によって、合焦後にフォーカス環９が回転してピント変化が生じることはない。
【００２９】
次に、本発明の第２の実施形態について、図４及び図５を参照しながら説明する。なお、第１の実施形態と同じ部材には同じ符号を付すに止めて、その詳細な説明は省略する。
【００３０】
本実施形態のレンズ鏡筒３０の小径筒状部材７の環状フランジ７ｃは、その光軸Ｏ方向寸法が第１の実施形態の環状フランジ７ｂより短く、その前面には、光軸Ｏと平行な回転軸１７が、等角度間隔で３個突設されている（図５参照）。この回転軸１７には、その外周面にローラ２１を保持する回転部材１９が回転可能に取り付けられており、ローラ２１は、距離調節環１１の内周面に形成された環状の環状当接面（接触面）１１ｆに、若干圧縮された状態で常時接触している。
【００３１】
本実施形態のレンズ鏡筒３０は、第１の実施形態と同様の操作要領により、ＭＦ操作とＡＦ操作を行うことができ、距離調節環１１の環状当接面１１ｆにローラ２１が常時接触することにより、ＭＦ操作時及びＡＦ操作時において第１の実施形態と同様の効果が得られる。
【００３２】
図６及び図７は本実施形態の変形例を示している。
この変形例は回転トルク制御装置の構造を変えたものである。即ち、回転軸１７に回転可能に取り付けられた回転部材１９’には環状凹部１９ａは形成されておらず、距離調節環１１の回転部材１９’との対向面には正面視環状の取付用凹部３２が凹設されており、この取付用凹部３２に、正面視環状の高密度セルウレタンフォーム製の抵抗付与部材３４が嵌合固定されている。回転部材１９’の外周面は常に抵抗付与部材３４の内周面（接触面）に接触しており、抵抗付与部材３４の回転部材１９’との接触部は若干圧縮している。そして、これら回転軸１７、環状フランジ１７ａ、回転部材１９’、及び抵抗付与部材３４によって回転トルク制御装置が構成されている。
【００３３】
このような構成からなるレンズ鏡筒３０’の距離調節環１１を回転させてＭＦ操作を行うと、抵抗付与部材３４に当接している回転部材１９’が連れ回り、回転部材１９’から距離調節環１１に適度な回転抵抗が掛かり、距離調節環１１の回転トルクが制御される。このため、操作者は距離調節環１１を所望の位置で容易に停止させられるようになる。
また、抵抗付与部材３４が圧縮残留歪の少ない弾性材料である高密度セルウレタンフォームによって成形されているので、抵抗付与部材３４によって距離調節環１１の操作性が損なわれることはない。さらに、回転部材１９’も摩耗しにくく、回転部材１９’と抵抗付与部材３４の耐久性は良好である。
さらに、合焦後（フォーカシング終了後）も、距離調節環１１には回転抵抗が掛かっているので、シャッターショックなどの振動やレンズ鏡筒１に掛かる重力等により、合焦後にフォーカス環９が回転してピント変化が生じることはない。
【００３４】
一方、モータを回転させてＡＦ操作を行った場合には、合焦した後も、距離調節環１１（抵抗付与部材３４）には回転部材１９’から回転抵抗が付与されるので、シャッターショックなどの振動やレンズ鏡筒３０’に掛かる重力等によって、合焦後にフォーカス環９が回転してピント変化が生じることはない。
【００３５】
最後に、本発明の第３の実施形態について、図８から図１４を参照しながら説明する。なお、第１の実施形態と同じ部材には同じ符号を付すに止めて、その詳細な説明は省略する。
【００３６】
本実施形態のレンズ鏡筒４０の固定環３の大径筒状部材４２は、第１の実施形態のものに比べて、その光軸Ｏ方向長が長い。
小径筒状部材７の環状フランジ７ｄと固定環３の後端壁３ｂとには、光軸Ｏと平行な回転軸４４の前後両端部が回転自在に支持されている。この回転軸４４は、カメラ本体（不図示）に内蔵されたモータ（ＡＦ用駆動系）の出力軸から回転力を受ける部材である。
回転軸４４には筒状のピニオンギヤ４６が嵌合している。このピニオンギヤ４６は、その内周面に突設されたキー４６ａが、回転軸４４の外周面に凹設された、光軸Ｏと平行なキー溝４４ａにキー結合していて、回転軸４４と軸方向の相対移動は自在に回転方向には一緒に回転するように係合している。ピニオンギヤ４６の外周面にはギヤ部４６ｂが形成されており、このギヤ部４６ｂは、距離調節環１１の内周面の後端部に形成されたギヤ部１１ｃと螺合可能となっている。ピニオンギヤ４６の後端部に形成された環状フランジ４６ｃと後端壁３ｂとの間には圧縮ばねＳが縮設されており、ピニオンギヤ４６は常時前方に移動付勢されている。
【００３７】
大径筒状部材４２の外周面には、光軸Ｏ回りに回転可能で光軸Ｏ方向に移動可能な切替環４８が嵌合している。切替環４８の内周面には、周方向に等角度間隔で並ぶ３つのローラ収納用凹部４８ａが、互いの光軸Ｏ方向位置が同じ位置になるように形成されている。大径筒状部材４２の外周面の各ローラ収納用凹部４８ａと対応する位置には、径方向を向く回転軸１７が突設されており、回転軸１７には、その外周面にローラ２１を具備する回転部材１９が回転自在に取り付けられている。各ローラ収納用凹部４８ａの光軸Ｏ方向長は、ローラ２１の光軸Ｏ方向長より長く設定されており、その前側の端面は、ローラ２１が当接可能な正面視円弧状をなす円弧状当接面（接触面）４８ａ１となっている。
そして本実施形態では、回転軸１７、回転部材１９、ローラ２１、及び円弧状当接面４８ａ１によって回転トルク制御装置が構成されている。
【００３８】
切替環４８の内周面にはともに環状をなすＭＦ状態保持溝４８ｂとＡＦ状態保持溝４８ｃが光軸Ｏ方向に並べて設けられている。
図１３および図１４に詳細に示すように、大径筒状部材４２には、切替環４８との嵌合対向面に位置させて、周方向を向くとともに、大径筒状部材４２を貫通する板ばね挿入溝５０が形成されている。この板ばね挿入溝５０は、大径筒状部材４２を貫通する細長い方形の変形許容部５２と、変形許容部５２の長さ方向の両端部に形成された段状凹部５４とを有している。変形許容部５２の長さ方向の中央部には、ストップボールＢの径に対応するボール移動孔５６が形成されている。
【００３９】
板ばね５８は、この板ばね挿入溝５０に挿入され（単に落とし込まれ）、両段状凹部５４にその両端部が支持されている。板ばね５８の中央部は変形許容部５２に位置し、ボール移動孔５６に嵌合されたストップボールＢは、板ばね５８の中央部によって支持されている。板ばね５８（板ばね挿入溝５０）の幅は、ストップボールＢ（ボール移動孔５６）の径より小さい。以上のＭＦ状態保持溝４８ｂ、ＡＦ状態保持溝４８ｃ、板ばね挿入溝５０、板ばね５８、及びストップボールＢによりクリックストップ機構が構成されている。
【００４０】
このクリックストップ機構は、図８から図１０および図１４に示すように、板ばね５８が変形許容部５２内において光軸Ｏ側に弾性変形させられ、このときに生じる板ばね５２の反力により、ストップボールＢはＭＦ状態保持溝４８ｂまたはＡＦ状態保持溝４８ｃに選択的に弾性係合する。ストップボールＢにＡＦ状態保持溝４８ｃが係合すると、切替環４８はＡＦ位置（図１０の位置）に保持され、ストップボールＢにＭＦ状態保持溝４８ｂが係合すると、切替環４８はＭＦ位置（図８の位置）に保持される。
【００４１】
切替環４８の内周面の後端部には係合溝４８ｄが凹設されており、この係合溝４８ｄには径方向を向く連動部材６０の外周側端部が嵌合していて、連動部材６０は切替環４８と一体となっている。連動部材６０からは光軸Ｏ方向（前後方向）を向く摺接片６０ａが突設しており、この摺接片６０ａが大径筒状部材４２の外周面の後端部に凹設された前後方向を向く長溝４２ａに摺動可能に嵌合している。連動部材６０は、長溝４２ａと大径筒状部材４２の内周面とを連通する径方向溝４２ｂを貫通しており、その内周側端部に形成された嵌合部６０ｂがピニオンギヤ４６に嵌合している。嵌合部６０ｂは、ピニオンギヤ４６に突設された環状フランジ４６ｃに当接することにより、ピニオンギヤ４６から抜け止めされている。
【００４２】
大径筒状部材４２と距離調節環１１の前端部には、それぞれ外方フランジ６２、６４が形成されており、両外方フランジ６２、６４の切替環４８との対向面には、等角度間隔で複数のストッパ溝６２ａと係合溝６４ａが形成されている。図８から図１０に示すように、外方フランジ６２の後端部全周と外方フランジ６４の前端部全周は傾斜面６２ｂ、６４ｂとなっており、ストッパ溝６２ａと係合溝６４ａは各傾斜面６２ｂ、６４ｂにおいて開口している。
切替環４８の内周面の前端部には、光軸Ｏ方向を向く一つの凹部４８ｅが形成されており、この凹部４８ｅの両側面（周方向の端面）４８ｆ間には支持部材４８ｇが設けられている。支持部材４８ｇには光軸Ｏと平行な方向を向く板ばね６６の中央部がネジ６８により固定されており、板ばね６６の前後両端部の固定環３および距離調節環１１との対向面には、円柱形状をなすＡＦ用ストッパ部材７０とＭＦ用連動部材７２が固着されている。ＡＦ用ストッパ部材７０とＭＦ用連動部材７２は、切替環４８がＡＦ位置にあるときはＡＦ用ストッパ部材７０と外方フランジ６２の光軸Ｏ方向の位置が一致し、切替環４８がＭＦ位置にあるときはＭＦ用連動部材７２と外方フランジ６４の光軸Ｏ方向の位置が一致するように、板ばね６６に固着されている。
【００４３】
次に、以上のような構成からなるレンズ鏡筒４０の動作について説明する。
図８に示すように切替環４８がＭＦ位置にあるとき、ストップボールＢにはＭＦ状態保持溝４８ｂが係合するので、切替環４８はＭＦ位置に保持される。このとき、連動部材６０の嵌合部６０ｂが、圧縮ばねＳによって前方に付勢されているピニオンギヤ４６の外方フランジ４６ｃを後方に押圧するので、ピニオンギヤ４６のギヤ部４６ｂと距離調節環１１のギヤ部１１ｃの係合が解除される。従って、この状態ではカメラ本体のモータの回転力は距離調節環１１には伝わらず、オートフォーカスを行えない。
一方、ＭＦ位置にある切替環４８を回転させると、ＭＦ用連動部材７２がいずれかのストッパ溝６４ａに嵌合しているので、距離調節環１１が回転し、距離調節環１１の回転力が連動ピン９ｂを介してフォーカス環９に伝わり、フォーカス環９が回転しながら光軸Ｏ方向に移動するので、マニュアルフォーカスを行うことができる。
そして、このように切替環４８がＭＦ位置にあるとき、ローラ２１が切替環４８の円弧状当接面４８ａ１に接触して若干圧縮し、圧縮されながら回転するので、第１及び第２の実施形態と同様に、切替環４８には適度な回転抵抗が付与される。
【００４４】
次に、ＭＦ位置にある切替環４８をＡＦ位置側に移動させる場合の動作ついて説明する。
切替環４８をＡＦ位置側に移動させると、図９に示すように、ＭＦ用連動部材７２は係合溝６４ａの前面開口部から外方フランジ６４の前方に脱出する。
これに対し、ＡＦ用ストッパ部材７０は、ＡＦ用ストッパ部材７０とストッパ溝６２ａの周方向の位相があっている場合にはストッパ溝６２ａの後面開口部からストッパ溝６２ａ内に進入し、ストッパ溝６２ａと係合するようになる。一方、ＡＦ用ストッパ部材７０とストッパ溝６２ａの周方向の位相が一致していない場合には、図９に示すように、板ばね６６が弾性変形し、ＡＦ用ストッパ部材７０は外方フランジ６２の傾斜面６２ｂを乗り越えて外方フランジ６２の外周面上に位置するようになる。この状態で切替環４８を回転させると、ＡＦ用ストッパ部材７０といずれかのストッパ溝６２ａの周方向の位相が一致したときに、板ばね６６が弾性復帰してＡＦ用ストッパ部材７０がストッパ溝６２ａと係合する（図１０参照）。
さらに、切替環４８がＡＦ位置に移動すると、ストップボールＢにＡＦ状態保持溝４８ｃが係合し、切替環４８はＡＦ位置に保持される。
【００４５】
このように切替環４８をＡＦ位置に移動させると、連動部材６０と外方フランジ４６ｃとが離れ、ピニオンギヤ４６が圧縮ばねＳにより前方に押圧されるので、ピニオンギヤ４６のギヤ部４６ｂと距離調節環１１のギヤ部１１ｃとが螺合するようになる。この状態でカメラ本体側のモータが回転すると、この回転力は回転軸４４とピニオンギヤ４６を介して距離調節環１１に伝達され、距離調節環１１が光軸Ｏ回りに回転し、距離調節環１１の回転力が連動ピン９ｂを介してフォーカス環９に伝わり、フォーカス環９が回転しながら光軸Ｏ方向に移動することによりオートフォーカスが行われる。そして、このように切替環４８がＡＦ位置に移動すると、ローラ２１と円弧状当接面４８ａ１は離間し、ローラ２１から切替環４８には回転抵抗が付与されなくなる（図１０参照）。
【００４６】
さらに、ＡＦ位置にある切替環４８をＭＦ位置側に移動させると、ＡＦ用ストッパ部材７０はストッパ溝６２ａの後面開口部から外方フランジ６２の後方に脱出する。これに対してＭＦ用連動部材７２は、ＭＦ用連動部材７２と係合溝６４ａの周方向の位相が一致している場合には係合溝６４ａの前面開口部から係合溝６４ａ内に進入し、係合溝６４ａと係合するようになる。一方、ＭＦ用連動部材７２と係合溝６４ａの周方向の位相が一致していない場合には、板ばね６６が弾性変形し、ＭＦ用連動部材７２は外方フランジ６４の傾斜面６４ｂを乗り越えて外方フランジ６４の外周面上に位置するようになる。そして、この状態で切替環４８を回転させ、ＭＦ用連動部材７２といずれかの係合溝６４ａの周方向の位相が一致したときに、板ばね６６が弾性復帰してＭＦ用連動部材７２が係合溝６４ａと係合するようになる。
【００４７】
以上説明した本実施形態によれば、ＭＦ時には切替環４８に適度な回転抵抗を付与することができるので、第１及び第２の実施形態と同様に、操作者が切替環４８を所望の位置で容易に停止させることができ、その結果、フォーカスレンズ群Ｌ２を所望の位置に容易に停止させることができる。また、ローラ２１が圧縮残留歪の少ない弾性材料である高密度セルウレタンフォームによって成形されているので、ローラ２１によって切替環４８の操作性が損なわれることはなく、しかも、円弧状当接面４８ａ１も摩耗しにくく、ローラ２１と切替環４８の耐久性は良好である。さらに、合焦後（フォーカシング終了後）も、切替環４８には回転抵抗が掛かるので、シャッターショックなどの振動やレンズ鏡筒４０に掛かる重力等により、合焦後にフォーカス環９が回転してピント変化が生じるのを防止できる。
【００４８】
一方、ＡＦ時には切替環４８が移動して、ローラ２１と円弧状当接面４８ａ１が離間するので、ローラ２１から切替環４８に回転抵抗は付与されず、そのため、モータに余計な負荷が掛かるのが防止される。
さらに、合焦後においては、連動ピン９ｂ、距離調節環１１、ギヤ部１１ｃ、ギヤ部４６ｂ、及びピニオンギヤ４６を介してフォーカス環９と回転方向（周方向）に一体となっている回転軸４４が、カメラ本体に内蔵されたモータと連結しているので、このモータが回転軸４４の回転抵抗として働く。このため、シャッターショックなどの振動やレンズ鏡筒４０に掛かる重力等によって、合焦後にフォーカス環９が回転してピント変化が生じることはない。
【００４９】
図１５から図１７は本実施形態の変形例を示している。
この変形例は回転トルク制御装置の構造を変えたものである。即ち、回転軸１７に回転可能に取り付けられた回転部材１９’には環状凹部１９ａは形成されておらず、ローラ収納用凹部４８ａの前面には正面視円弧状の取付用凹部７４が凹設されており、この取付用凹部７４に、正面視円弧状の高密度セルウレタンフォーム製の抵抗付与部材７６が嵌合固定されている。そして、これら回転軸１７、回転部材１９’及び抵抗付与部材７６によって回転トルク制御装置が構成されている。
【００５０】
このような構成からなるレンズ鏡筒４０’は、ＭＦ時には回転部材１９’が抵抗付与部材７６の前面（接触面）に接触し、抵抗付与部材７６を若干圧縮させる。このため、ＭＦ時には、切替環４８に適度な回転抵抗を付与することができ、第３の実施形態と同様に、操作者が切替環４８を所望の位置で容易に停止させることができる。また、抵抗付与部材７６が圧縮残留歪の少ない弾性材料である高密度セルウレタンフォームによって成形されているので、回転部材１９’によって切替環４８の操作性が損なわれることはなく、しかも、回転部材１９’も摩耗しにくく、回転部材１９’と切替環４８の耐久性は良好である。さらに、合焦後（フォーカシング終了後）も、切替環４８には回転抵抗が掛かっているので、シャッターショックなどの振動やレンズ鏡筒４０’に掛かる重力等により、合焦後にフォーカス環９が回転してピント変化が生じるのを防止できる。
【００５１】
一方、ＡＦ時には、切替環４８が移動して、回転部材１９’と抵抗付与部材７６が離間するので、回転部材１９’から切替環４８に回転抵抗は付与されず、そのため、モータに余計な負荷が掛かるのが防止される。
さらに、合焦後においては、第３の実施形態と同様に、モータが回転軸４４の回転抵抗として働くので、シャッターショックなどの振動やレンズ鏡筒４０’に掛かる重力等によって、合焦後にフォーカス環９が回転してピント変化が生じることはない。
【００５２】
なお、第１及び第２の実施形態において、距離調節環１１に回転部材１９とローラ２１を設けて、固定環３に、このローラ２１が接触する接触面を設けるようにしてもよい。さらに、第３の実施形態において、切替環４８に回転部材１９とローラ２１を設けて、固定環３に、このローラ２１が接触する接触面を設けるようにしてもよい。
また、第１及び第２の実施形態の変形例において、距離調節環１１に回転部材１９’を設けて、固定環３に、この回転部材１９’が接触する抵抗付与部材２５、３４を設けるようにしてもよい。さらに、第３の実施形態の変形例において、切替環４８に回転部材１９’を設けて、固定環３に、この回転部材１９’が接触する抵抗付与部材７６を設けるようにしてもよい。
さらに、各実施形態及びその変形例では、回転トルク制御装置を３個としたが、１個あるいは３個以外の複数個としてもよい。
【００５３】
また、ローラ２１や抵抗付与部材２５、３４、７６に用いているセルウレタンフォームの弾性特性や、環状当接面１１ｅ、１１ｆ、４８ａ１や回転部材１９’に接触した際の圧縮量を調整することにより、ローラ２１や回転部材１９’から距離調節環１１または切替環４８に与える回転抵抗を調整することが可能である。
【００５４】
さらに、第１及び第２の実施形態並びにその変形例において、ＡＦ時にはローラ２１を環状当接面１１ｅ、１１ｆから離間させる離間スイッチを設けてもよい。
また、第３の実施形態及びその変形例の回転軸１７を光軸Ｏと平行とし、切替環４８がＭＦ位置にあるときのみ、ローラ２１または回転部材１９’を切替環４８または抵抗付与部材７６に接触させるようにしてもよい。
【００５５】
また、第１及び第２の実施形態並びにその変形例において、回転軸１７、環状フランジ１７ａ、回転部材１９、回転部材１９’、ローラ２１、抵抗付与部材２５、抵抗付与部材３４を省略し、距離調節環１１と大径筒状部材５の回転接触面のいずれか一方を高密度ポリウレタンフォームによって成形してもよい。このようにしても、距離調節環１１の回転時に、距離調節環１１に適度な回転抵抗が掛かるので、距離調節環１１の回転トルクが制御される。
【００５６】
さらに、第３の実施形態及びその変形例において、回転軸１７、回転部材１９、回転部材１９’、ローラ２１、抵抗付与部材７６を省略し、代わりに大径筒状部材４２に、ＭＦ時にのみローラ収納用凹部４８ａの前面に回転接触する、大径筒状部材４２に対して相対回転不能な接触部材（図示略）を突設し、この接触部材とローラ収納用凹部４８ａの前面の接触面（回転接触面）のいずれか一方を高密度ウレタンフォームによって成形してもよい。このようにしても、ＭＦ時に切替環４８に適度な回転抵抗を付与することができる。
【図面の簡単な説明】
【００５７】
【図１】本発明の第１の実施形態のレンズ鏡筒の上半部を示す縦断側面図である。
【図２】図１のII−II線に沿う拡大正面図である。
【図３】第１の実施形態の変形例の図１と同様の縦断側面図である。
【図４】本発明の第２の実施形態のレンズ鏡筒の上半部を示す縦断側面図である。
【図５】図４のＶ−Ｖ線に沿う拡大縦断正面図である。
【図６】第２の実施形態の変形例の図４と同様の縦断側面図である。
【図７】図６のVII−VII線に沿う拡大縦断正面図である。
【図８】本発明の第３の実施形態のレンズ鏡筒の上半部を示すＭＦ撮影時の縦断側面図である。
【図９】切替環をＭＦ位置からＡＦ位置に移動した直後のレンズ鏡筒の上半部を示す縦断側面図である。
【図１０】ＡＦ用ストッパ部材がストップ溝に嵌合したときのレンズ鏡筒の上半部を示す縦断側面図である。
【図１１】図１０のＸI−ＸI線に沿う、一部の部材を省略して示すレンズ鏡筒の縦断正面図である。
【図１２】切替環の板ばねが設けられた部分の平面図である。
【図１３】クリックストップ機構の要部を示す平面図である。
【図１４】クリックストップ機構の要部を示す縦断正面図である。
【図１５】第３の実施形態の変形例の図８と同様の縦断側面図である。
【図１６】同じく図９と同様の縦断側面図である。
【図１７】同じく図１０と同様の縦断側面図である。
【符号の説明】
【００５８】
１  １’  レンズ鏡筒
３        固定環
３ａ      バヨネット部
３ｂ      後端壁
５        大径筒状部材
５ａ      環状突起
５ｂ      当接部材
７        小径筒状部材
７ａ      雄ネジ
７ｂ  ７ｃ  ７ｄ  外方フランジ
９        フォーカス環
９ａ      雌ネジ
９ｂ      動力伝達ピン
１１      距離調節環
１１ａ    環状凹部
１１ｂ    直線溝
１１ｃ    ギヤ部
１１ｄ    ストッパピン
１１ｅ  １１ｆ  環状当接面（接触面）（回転トルク制御装置）
１３      回転軸
１５      ピニオンギヤ
１７      回転軸（回転トルク制御装置）
１７ａ    環状フランジ（回転トルク制御装置）
１９      回転部材（回転トルク制御装置）
１９ａ    環状凹部（回転トルク制御装置）
１９’     回転部材（回転接触部材）（回転トルク制御装置）
２１      ローラ（回転接触部材）（回転トルク制御装置）
２３      取付用凹部
２５      抵抗付与部材（回転トルク制御装置）
３０  ３０’  レンズ鏡筒
３２      取付用凹部
３４      抵抗付与部材（回転トルク制御装置）
４０  ４０’  レンズ鏡筒
４２      大径筒状部材
４２ａ    長溝
４２ｂ    径方向溝
４４      回転軸
４４ａ    キー溝
４６      ピニオンギヤ
４６ａ    キー
４６ｂ    ギヤ部
４６ｃ    環状フランジ
４８      切替環
４８ａ    ローラ収納用凹部
４８ａ１  円弧状当接面（接触面）（回転トルク制御装置）
４８ｂ    ＭＦ状態保持溝
４８ｃ    ＡＦ状態保持溝
４８ｄ    係合溝
４８ｅ    凹部
４８ｆ    側面
４８ｇ    支持部材
５０      板ばね挿入溝
５２      変形許容部
５４      段状凹部
５６      ボール移動孔
５８      板ばね
６０      連動部材
６０ａ    摺接片
６２      外方フランジ
６２ａ    ストッパ溝
６２ｂ    傾斜面
６４      外方フランジ
６４ａ    係合溝
６４ｂ    傾斜面
６６      板ばね
６８      ネジ
７０      ＡＦ用ストッパ部材
７２      ＭＦ用連動部材
７４      取付用凹部
７６      抵抗付与部材（回転トルク制御装置）
Ｂ        ストップボール
Ｌ１      レンズ群
Ｌ２      フォーカスレンズ群（フォーカスレンズ）
Ｏ        光軸
Ｓ        圧縮ばね
【図１】
2005084259.tif 000003
【図２】
2005084259.tif 000004
【図３】
2005084259.tif 000005
【図４】
2005084259.tif 000006
【図５】
2005084259.tif 000007
【図６】
2005084259.tif 000008
【図７】
2005084259.tif 000009
【図８】
2005084259.tif 000010
【図９】
2005084259.tif 000011
【図１０】
2005084259.tif 000012
【図１１】
2005084259.tif 000013
【図１２】
2005084259.tif 000014
【図１３】
2005084259.tif 000015
【図１４】
2005084259.tif 000016
【図１５】
2005084259.tif 000017
【図１６】
2005084259.tif 000018
【図１７】
2005084259.tif 000019